(57)【要約】【課題】起動時の消費電力に対応するために製造コストおよび回路規模が増大することを防ぐことが可能なスイッチング電源装置を提供する。【解決手段】スイッチング電源装置は、スイッチング素子Ｑ１を含み、スイッチング素子Ｑ１の切り替え動作によって入力交流電圧を直流電圧に変換するＰＦＣ回路１と、変換された直流電圧を昇圧して負荷に供給するＤＣ−ＤＣコンバータ回路５２と、スイッチング素子Ｑ１の切り替え制御を行なうＰＦＣ制御回路５と、入力交流電圧に基づいてＰＦＣ制御回路５に電圧を出力して起動するＰＦＣ起動電源回路３と、スイッチング素子Ｑ１の切り替え制御が開始された後、ＰＦＣ制御回路５に電圧を出力するＰＦＣ補助電源回路２と、ＰＦＣ補助電源回路２が電圧出力を開始してから所定時間経過後にＰＦＣ起動電源回路３の電圧出力を停止させるＰＦＣ起動電源停止回路４とを備える。【選択図】図１
2007329996.tif 000002
【特許請求の範囲】
【請求項１】
スイッチング素子を含み、前記スイッチング素子の切り替え動作によって入力交流電圧を直流電圧に変換するＰＦＣ回路と、
前記変換された直流電圧を昇圧して負荷に供給するＤＣ−ＤＣコンバータ回路と、
前記スイッチング素子の切り替え制御を行なうＰＦＣ制御回路と、
前記入力交流電圧に基づいて前記ＰＦＣ制御回路に電圧を出力することにより、前記ＰＦＣ制御回路を起動するＰＦＣ起動電源回路と、
前記ＰＦＣ制御回路による前記スイッチング素子の切り替え制御が開始された後、前記ＰＦＣ制御回路に電圧を出力するＰＦＣ補助電源回路と、
前記ＰＦＣ補助電源回路が電圧出力を開始してから所定時間経過後に前記ＰＦＣ起動電源回路の電圧出力を停止させるＰＦＣ起動電源停止回路とを備えるスイッチング電源装置。
【請求項２】
前記ＰＦＣ補助電源回路は、前記ＰＦＣ制御回路による前記スイッチング素子の切り替え制御が開始された後、前記ＰＦＣ制御回路および前記ＰＦＣ起動電源停止回路に電圧を出力し、
前記ＰＦＣ起動電源停止回路は、
制御電極に入力される電圧に基づいて前記ＰＦＣ起動電源回路の電圧出力を停止させるか否かを切り替えるトランジスタと、
抵抗と、
コンデンサと、
前記ＰＦＣ補助電源回路および前記抵抗間かつ前記ＰＦＣ補助電源回路および前記コンデンサ間に配置されるツェナーダイオードとを含み、
前記ＰＦＣ起動電源停止回路から出力された電圧は、前記ツェナーダイオードを通過し、前記抵抗の抵抗値および前記コンデンサの静電容量値で決まる時定数だけ遅延して前記トランジスタの制御電極に入力される請求項１記載のスイッチング電源装置。
【請求項３】
前記ＤＣ−ＤＣコンバータ回路は、さらに、前記ＰＦＣ制御回路による前記スイッチング素子の切り替え制御が開始された後、前記ＰＦＣ起動電源停止回路に電圧を出力し、
前記ＰＦＣ起動電源停止回路は、
制御電極に入力される電圧に基づいて前記ＰＦＣ起動電源回路の電圧出力を停止させるか否かを切り替えるトランジスタと、
抵抗と、
コンデンサとを含み、
前記ＤＣ−ＤＣコンバータ回路から出力された電圧は、前記抵抗の抵抗値および前記コンデンサの静電容量値で決まる時定数だけ遅延して前記トランジスタの制御電極に入力される請求項１記載のスイッチング電源装置。
【請求項４】
前記ＰＦＣ起動電源停止回路は、さらに、前記ＰＦＣ起動電源停止回路および前記抵抗間かつ前記ＰＦＣ起動電源停止回路および前記コンデンサ間に配置されるツェナーダイオードを含み、
前記ＤＣ−ＤＣコンバータ回路から出力された電圧は、前記ツェナーダイオードを通過し、前記抵抗の抵抗値および前記コンデンサの静電容量値で決まる時定数だけ遅延して前記トランジスタの制御電極に入力される請求項３記載のスイッチング電源装置。
【請求項５】
前記ＤＣ−ＤＣコンバータ回路は、前記昇圧された直流電圧が所定値以上になると電流が流れて発光する発光素子を含み、
前記ＰＦＣ起動電源停止回路は、前記発光素子が発光するか否かに応じてオン状態およびオフ状態を切り替えることにより、前記ＰＦＣ起動電源回路の電圧出力を停止させるか否かを切り替える請求項１記載のスイッチング電源装置。
【請求項６】
前記ＰＦＣ補助電源回路は、
前記ＰＦＣ制御回路による前記スイッチング素子の切り替え制御が開始された後、前記ＰＦＣ制御回路および前記ＰＦＣ起動電源停止回路に電圧を出力し、
前記ＰＦＣ制御回路および前記ＰＦＣ起動電源停止回路への出力電圧を安定化させる安定化回路を含み、
前記安定化回路は、
一端に前記出力電圧が印加される抵抗と、
ツェナーダイオードと、
一方の導通電極に前記抵抗の一端が接続され、制御電極に前記抵抗の他端と、前記ツェナーダイオードの一端とが接続され、他方の導通電極から前記ＰＦＣ制御回路および前記ＰＦＣ起動電源停止回路に電圧が出力されるトランジスタとを含む請求項１記載のスイッチング電源装置。
【請求項７】
スイッチング素子を含み、前記スイッチング素子の切り替え動作によって入力交流電圧を直流電圧に変換するＰＦＣ回路と、
前記変換された直流電圧を昇圧して負荷に供給するＤＣ−ＤＣコンバータ回路と、
前記スイッチング素子の切り替え制御を行なうＰＦＣ制御回路と、
前記入力交流電圧に基づいて前記ＰＦＣ制御回路に電圧を出力することにより、前記ＰＦＣ制御回路を起動するＰＦＣ起動電源回路とを備え、
前記ＤＣ−ＤＣコンバータ回路は、前記ＰＦＣ制御回路による前記スイッチング素子の切り替え制御が開始された後、前記ＰＦＣ制御回路に電圧を出力し、
前記スイッチング電源装置は、さらに、
前記ＤＣ−ＤＣコンバータ回路が前記ＰＦＣ制御回路への電圧出力を開始してから所定時間経過後に前記ＰＦＣ起動電源回路の電圧出力を停止させるＰＦＣ起動電源停止回路とを備えるスイッチング電源装置。
【請求項８】
前記ＤＣ−ＤＣコンバータ回路は、前記ＰＦＣ制御回路による前記スイッチング素子の切り替え制御が開始された後、前記ＰＦＣ制御回路および前記ＰＦＣ起動電源停止回路に電圧を出力し、
前記ＰＦＣ起動電源停止回路は、
制御電極に入力される電圧に基づいて前記ＰＦＣ起動電源回路の電圧出力を停止させるか否かを切り替えるトランジスタと、
抵抗と、
コンデンサと、
前記ＤＣ−ＤＣコンバータ回路および前記抵抗間かつ前記ＤＣ−ＤＣコンバータ回路および前記コンデンサ間に配置されるツェナーダイオードを含み、
前記ＤＣ−ＤＣコンバータ回路から出力された電圧は、前記ツェナーダイオードを通過し、前記抵抗の抵抗値および前記コンデンサの静電容量値で決まる時定数だけ遅延して前記トランジスタの制御電極に入力される請求項７記載のスイッチング電源装置。
【請求項９】
前記ＤＣ−ＤＣコンバータ回路は、
前記ＰＦＣ制御回路による前記スイッチング素子の切り替え制御が開始された後、前記ＰＦＣ制御回路および前記ＰＦＣ起動電源停止回路に電圧を出力し、
前記ＰＦＣ制御回路および前記ＰＦＣ起動電源停止回路への出力電圧を安定化させる安定化回路を含み、
前記安定化回路は、
一端に前記出力電圧が印加される抵抗と、
ツェナーダイオードと、
一方の導通電極に前記抵抗の一端が接続され、制御電極に前記抵抗の他端と、前記ツェナーダイオードの一端とが接続され、他方の導通電極から前記ＰＦＣ制御回路および前記ＰＦＣ起動電源停止回路に電圧が出力されるトランジスタとを含む請求項７記載のスイッチング電源装置。
【請求項１０】
前記ＤＣ−ＤＣコンバータ回路は、前記昇圧された直流電圧が所定値以上になると電流が流れて発光する発光素子を含み、
前記ＰＦＣ起動電源停止回路は、前記発光素子が発光するか否かに応じてオン状態およびオフ状態を切り替えることにより、前記ＰＦＣ起動電源回路の電圧出力を停止させるか否かを切り替える請求項７記載のスイッチング電源装置。
【発明の詳細な説明】
【技術分野】
【０００１】
本発明は、スイッチング電源装置に関し、特に、高調波対応ＰＦＣ回路を用いたスイッチング電源装置に関する。
【背景技術】
【０００２】
スイッチング電源装置の高調波対策として、高効率かつ高力率を実現するアクティブクランプ方式のＰＦＣ（Power Factor Correction）回路が用いられる。ＰＦＣ回路を制御するための制御ＩＣ（Integrated Circuit）は、各メーカより提供されている。
【０００３】
スイッチング電源装置では、ＣＭＯＳプロセスを使用し、待機電流が１ｍＡ程度の制御ＩＣが用いられる。制御ＩＣの起動回路はたとえば抵抗および電解コンデンサで構成することができ、１００μＦ程度の容量を有する電解コンデンサを使用すれば十分である。ところが、制御ＩＣの中には、バイポーラプロセスを使用し、起動時に２５ｍＡ程度の電流を消費するものがある。この場合、制御ＩＣの起動用に２０００μＦ以上の容量を有する電解コンデンサが必要となり、起動時間が増加して実用にならないものとなってしまう。しかしながら、ローコストで、かつ要求される仕様を満たす制御ＩＣがこのタイプしかない場合は、たとえば入力交流電圧を整流平滑した電圧から電流を制御ＩＣに供給する必要がある。
【０００４】
このような構成を採用するものとして、たとえば、特許文献１には、以下のようなスイッチング電源装置が開示されている。すなわち、第１スイッチング素子をオンオフ制御して交流電圧よりも高い直流電圧に変換する力率改善コンバータと、第２スイッチング素子をオンオフ制御して力率改善コンバータからの直流電圧を別の直流電圧に変換するＤＣ−ＤＣコンバータとを備えたスイッチング電源装置であって、第２スイッチング素子をオンオフ制御させるパルス信号に基づいて負荷状態を判定する負荷状態判定回路と、負荷状態判定回路によって所定の負荷状態より軽い軽負荷状態であることが判定された場合に力率改善コンバータの動作を停止させる一方、所定の負荷状態より重い重負荷状態であることが判定された場合に力率改善コンバータの動作を起動させるＰＦＣオンオフ切換回路とを備える。
【特許文献１】特開２００３−１６９４７８号公報
【発明の開示】
【発明が解決しようとする課題】
【０００５】
ところで、特許文献１記載のスイッチング電源装置では、入力交流電圧を整流平滑した電圧から動作電流を制御ＩＣに供給するための抵抗を備えている。ここで、制御ＩＣの起動時の消費電流が前述のように２５ｍＡの場合には、ＡＣ１００Ｖの入力交流電圧に対して約５．６ｋΩの抵抗が必要となり、消費電力は約２５Ｗとなる。このため、通常使用される、５Ｗ以下の消費電力に対応する酸金抵抗またはセメント抵抗を使用することができず、スイッチング電源装置の製造コストおよび回路規模が増大してしまう。すなわち、特許文献１記載のスイッチング電源装置では、起動時の消費電力に対応するために製造コストおよび回路規模が増大するという問題点があった。
【０００６】
それゆえに、本発明の目的は、起動時の消費電力に対応するために製造コストおよび回路規模が増大することを防ぐことが可能なスイッチング電源装置を提供することである。
【課題を解決するための手段】
【０００７】
上記課題を解決するために、この発明のある局面に係わるスイッチング電源装置は、スイッチング素子を含み、スイッチング素子の切り替え動作によって入力交流電圧を直流電圧に変換するＰＦＣ回路と、変換された直流電圧を昇圧して負荷に供給するＤＣ−ＤＣコンバータ回路と、スイッチング素子の切り替え制御を行なうＰＦＣ制御回路と、入力交流電圧に基づいてＰＦＣ制御回路に電圧を出力することにより、ＰＦＣ制御回路を起動するＰＦＣ起動電源回路と、ＰＦＣ制御回路によるスイッチング素子の切り替え制御が開始された後、ＰＦＣ制御回路に電圧を出力するＰＦＣ補助電源回路と、ＰＦＣ補助電源回路が電圧出力を開始してから所定時間経過後にＰＦＣ起動電源回路の電圧出力を停止させるＰＦＣ起動電源停止回路とを備える。
【０００８】
好ましくは、ＰＦＣ補助電源回路は、ＰＦＣ制御回路によるスイッチング素子の切り替え制御が開始された後、ＰＦＣ制御回路およびＰＦＣ起動電源停止回路に電圧を出力し、ＰＦＣ起動電源停止回路は、制御電極に入力される電圧に基づいてＰＦＣ起動電源回路の電圧出力を停止させるか否かを切り替えるトランジスタと、抵抗と、コンデンサと、ＰＦＣ補助電源回路および抵抗間かつＰＦＣ補助電源回路およびコンデンサ間に配置されるツェナーダイオードとを含み、ＰＦＣ起動電源停止回路から出力された電圧は、ツェナーダイオードを通過し、抵抗の抵抗値およびコンデンサの静電容量値で決まる時定数だけ遅延してトランジスタの制御電極に入力される。
【０００９】
好ましくは、ＤＣ−ＤＣコンバータ回路は、さらに、ＰＦＣ制御回路によるスイッチング素子の切り替え制御が開始された後、ＰＦＣ起動電源停止回路に電圧を出力し、ＰＦＣ起動電源停止回路は、制御電極に入力される電圧に基づいてＰＦＣ起動電源回路の電圧出力を停止させるか否かを切り替えるトランジスタと、抵抗と、コンデンサとを含み、ＤＣ−ＤＣコンバータ回路から出力された電圧は、抵抗の抵抗値およびコンデンサの静電容量値で決まる時定数だけ遅延してトランジスタの制御電極に入力される。
【００１０】
より好ましくは、ＰＦＣ起動電源停止回路は、さらに、ＰＦＣ起動電源停止回路および抵抗間かつＰＦＣ起動電源停止回路およびコンデンサ間に配置されるツェナーダイオードを含み、ＤＣ−ＤＣコンバータ回路から出力された電圧は、ツェナーダイオードを通過し、抵抗の抵抗値およびコンデンサの静電容量値で決まる時定数だけ遅延してトランジスタの制御電極に入力される。
【００１１】
好ましくは、ＤＣ−ＤＣコンバータ回路は、昇圧された直流電圧が所定値以上になると電流が流れて発光する発光素子を含み、ＰＦＣ起動電源停止回路は、発光素子が発光するか否かに応じてオン状態およびオフ状態を切り替えることにより、ＰＦＣ起動電源回路の電圧出力を停止させるか否かを切り替える。
【００１２】
好ましくは、ＰＦＣ補助電源回路は、ＰＦＣ制御回路によるスイッチング素子の切り替え制御が開始された後、ＰＦＣ制御回路およびＰＦＣ起動電源停止回路に電圧を出力し、ＰＦＣ制御回路およびＰＦＣ起動電源停止回路への出力電圧を安定化させる安定化回路を含み、安定化回路は、一端に出力電圧が印加される抵抗と、ツェナーダイオードと、一方の導通電極に抵抗の一端が接続され、制御電極に抵抗の他端と、ツェナーダイオードの一端とが接続され、他方の導通電極からＰＦＣ制御回路およびＰＦＣ起動電源停止回路に電圧が出力されるトランジスタとを含む。
【００１３】
またこの発明のさらに別の局面に係わるスイッチング電源装置は、スイッチング素子を含み、スイッチング素子の切り替え動作によって入力交流電圧を直流電圧に変換するＰＦＣ回路と、変換された直流電圧を昇圧して負荷に供給するＤＣ−ＤＣコンバータ回路と、スイッチング素子の切り替え制御を行なうＰＦＣ制御回路と、入力交流電圧に基づいてＰＦＣ制御回路に電圧を出力することにより、ＰＦＣ制御回路を起動するＰＦＣ起動電源回路とを備え、ＤＣ−ＤＣコンバータ回路は、ＰＦＣ制御回路によるスイッチング素子の切り替え制御が開始された後、ＰＦＣ制御回路に電圧を出力し、スイッチング電源装置は、さらに、ＤＣ−ＤＣコンバータ回路がＰＦＣ制御回路への電圧出力を開始してから所定時間経過後にＰＦＣ起動電源回路の電圧出力を停止させるＰＦＣ起動電源停止回路とを備える。
【００１４】
好ましくは、ＤＣ−ＤＣコンバータ回路は、ＰＦＣ制御回路によるスイッチング素子の切り替え制御が開始された後、ＰＦＣ制御回路およびＰＦＣ起動電源停止回路に電圧を出力し、ＰＦＣ起動電源停止回路は、制御電極に入力される電圧に基づいてＰＦＣ起動電源回路の電圧出力を停止させるか否かを切り替えるトランジスタと、抵抗と、コンデンサと、ＤＣ−ＤＣコンバータ回路および抵抗間かつＤＣ−ＤＣコンバータ回路およびコンデンサ間に配置されるツェナーダイオードを含み、ＤＣ−ＤＣコンバータ回路から出力された電圧は、ツェナーダイオードを通過し、抵抗の抵抗値およびコンデンサの静電容量値で決まる時定数だけ遅延してトランジスタの制御電極に入力される。
【００１５】
好ましくは、ＤＣ−ＤＣコンバータ回路は、ＰＦＣ制御回路によるスイッチング素子の切り替え制御が開始された後、ＰＦＣ制御回路およびＰＦＣ起動電源停止回路に電圧を出力し、ＰＦＣ制御回路およびＰＦＣ起動電源停止回路への出力電圧を安定化させる安定化回路を含み、安定化回路は、一端に出力電圧が印加される抵抗と、ツェナーダイオードと、一方の導通電極に抵抗の一端が接続され、制御電極に抵抗の他端と、ツェナーダイオードの一端とが接続され、他方の導通電極からＰＦＣ制御回路およびＰＦＣ起動電源停止回路に電圧が出力されるトランジスタとを含む。
【００１６】
好ましくは、ＤＣ−ＤＣコンバータ回路は、昇圧された直流電圧が所定値以上になると電流が流れて発光する発光素子を含み、ＰＦＣ起動電源停止回路は、発光素子が発光するか否かに応じてオン状態およびオフ状態を切り替えることにより、ＰＦＣ起動電源回路の電圧出力を停止させるか否かを切り替える。
【発明の効果】
【００１７】
本発明によれば、起動時の消費電力に対応するために製造コストおよび回路規模が増大することを防ぐことができる。
【発明を実施するための最良の形態】
【００１８】
以下、本発明の実施の形態について図面を用いて説明する。なお、図中同一または相当部分には同一符号を付してその説明は繰り返さない。
【００１９】
＜第１の実施の形態＞
図１は、本発明の第１の実施の形態に係るスイッチング電源装置の構成を示す回路図である。
【００２０】
同図を参照して、このスイッチング電源装置は、ＰＦＣ部５１と、ＤＣ−ＤＣコンバータ部（ＤＣ−ＤＣコンバータ回路）５２と、入力端子ＴＩＮ１およびＴＩＮ２と、出力端子ＴＯＵＴ１およびＴＯＵＴ２とを備える。ＰＦＣ部５１は、ブリッジダイオードＢＤ１と、コンデンサＣ１と、ＰＦＣ回路１と、ＰＦＣ補助電源回路２と、ＰＦＣ起動電源回路３と、ＰＦＣ起動電源停止回路４と、ＰＦＣ制御回路５と、検出回路６とを含む。ＤＣ−ＤＣコンバータ部５２は、ＤＣ−ＤＣ補助電源回路１１と、電圧検出回路１２と、１次側制御回路１３と、１次−２次伝達回路１４と、トランスＴ１と、トランジスタＱ４と、コンデンサＣ６と、ダイオードＤ２とを含む。
【００２１】
ＰＦＣ回路１は、トランジスタ（スイッチング素子）Ｑ１と、チョークコイルＬ１と、ダイオードＤ１と、コンデンサＣ２とを含む。ＰＦＣ補助電源回路２は、コイル（補助巻線）Ｌ２と、ダイオードＤ３およびＤ５と、コンデンサＣ３とを含む。ＰＦＣ起動電源回路３は、チョークコイルＬ１と、ダイオードＤ１と、抵抗Ｒ１およびＲ２と、トランジスタＱ２と、ダイオードＤ４と、ツェナーダイオードＺＤ１とを含む。ＰＦＣ起動電源停止回路４は、抵抗Ｒ３〜Ｒ５と、コンデンサＣ４と、トランジスタＱ３とを含む。検出回路６は、抵抗Ｒ６およびＲ７を含む。たとえば、トランジスタＱ１、Ｑ２およびＱ４はＭＯＳＦＥＴであり、トランジスタＱ３はバイポーラトランジスタである。
【００２２】
入力端子ＴＩＮ１およびＴＩＮ２がブリッジダイオードＢＤ１の対応する入力端子にそれぞれ接続される。ブリッジダイオードＢＤ１の一方出力端子と、コンデンサＣ１の一端と、チョークコイルＬ１の一端とが接続される。チョークコイルＬ１の他端と、ダイオードＤ１のアノードと、トランジスタＱ１のドレインとが接続される。トランジスタＱ１のゲートは、ＰＦＣ制御回路５の出力に接続される。ダイオードＤ１のカソードと、コンデンサＣ２の正電極と、抵抗Ｒ６の一端と、抵抗Ｒ１およびＲ２の一端とが接続される。抵抗Ｒ６の他端と、抵抗Ｒ７の一端と、ＰＦＣ制御回路５の入力とが接続される。すなわち、検出回路６の電圧検出結果がＰＦＣ制御回路５に出力される。
【００２３】
トランジスタＱ２は、ドレインが抵抗Ｒ１の他端に接続され、ソース（導通電極）がダイオードＤ４のアノードに接続され、ゲートが抵抗Ｒ２の他端と、ツェナーダイオードＺＤ１のカソードと、トランジスタＱ３のコレクタ（導通電極）とに接続される。ダイオードＤ４のカソードと、ダイオードＤ５のカソードと、ＰＦＣ制御回路５の入力とが接続される。トランジスタＱ３のベース（制御電極）と、抵抗Ｒ４の一端と、抵抗Ｒ５の一端とが接続される。
【００２４】
ダイオードＤ５のアノードと、ダイオードＤ３のカソードと、抵抗Ｒ３の一端と、コンデンサＣ３の正電極とが接続される。抵抗Ｒ３の他端と、抵抗Ｒ５の他端と、コンデンサＣ４の一端とが接続される。ダイオードＤ３のアノードと、コイルＬ２の一端とが接続される。
【００２５】
抵抗Ｒ６の一端に巻線Ｌ１１の一端が接続される。トランジスタＱ４は、ドレインが巻線Ｌ１１の他端に接続され、ゲートが１次側制御回路１３の出力に接続される。ＤＣ−ＤＣ補助電源回路１１は、入力が巻線Ｌ１３の一端に接続され、出力が１次側制御回路１３の入力に接続される。
【００２６】
ダイオードＤ２のアノードが巻線Ｌ１２の一端に接続され、カソードがコンデンサＣ６の正電極と、電圧検出部１２の入力と、出力端子ＴＯＵＴ１とに接続される。コンデンサＣ６の負電極と、巻線Ｌ１２の他端と、出力端子ＴＯＵＴ２とが接続される。電圧検出部１２の電圧検出結果が１次−２次伝達回路１４を介して１次側制御回路１３に出力される。
【００２７】
ブリッジダイオードＢＤ１の他方出力端子と、コンデンサＣ１の他端と、ツェナーダイオードＺＤ１のアノードと、トランジスタＱ３のエミッタ（導通電極）と、抵抗Ｒ４の他端と、コンデンサＣ４の他端と、コンデンサＣ３の負電極と、コイルＬ２の他端と、トランジスタＱ１のソースと、コンデンサＣ２の負電極と、抵抗Ｒ７の他端と、トランジスタＱ４のソースと、巻線Ｌ１３の他端とが共通の接続点に接続される。
【００２８】
ＰＦＣ起動電源回路３は、入力交流電圧に基づいてＰＦＣ制御回路５に電圧を出力し、ＰＦＣ制御回路５を起動する。より詳細には、外部から入力端子ＴＩＮ１およびＴＩＮ２に供給される交流電圧は、ブリッジダイオードＢＤ１によって全波整流される。ブリッジダイオードＢＤ１から出力される電圧は、チョークコイルＬ１、ダイオードＤ１およびコンデンサＣ２によって整流平滑され、直流電圧となる。直流電圧は、抵抗Ｒ１、トランジスタＱ２のドレインおよびソースならびにダイオードＤ４を介してＰＦＣ制御回路５に供給される。
【００２９】
ＰＦＣ制御回路５は、ＰＦＣ起動電源回路３から電力が供給されると、検出回路６の電圧検出結果に基づいて、ＰＦＣ回路１におけるトランジスタＱ１のベースに制御電圧を出力し、トランジスタＱ１の切り替え制御を行なう。より詳細には、ＰＦＣ制御回路５は、トランジスタＱ１のオン状態およびオフ状態の切り替えを行なうことにより、ブリッジダイオードＢＤ１によって全波整流された電圧を昇圧して直流電圧に変換し、ＤＣ−ＤＣコンバータ部５２へ出力する。ここで、ＰＦＣ制御回路５によって昇圧される直流電圧は、外部から入力された交流電圧より高い電圧値を有する。また、ＰＦＣ制御回路５は、検出回路６で検出される電圧値が一定となるようにトランジスタＱ１のオン状態およびオフ状態の切り替えを行なう。
【００３０】
ＤＣ−ＤＣコンバータ部５２は、ＰＦＣ回路１から受けた直流電圧を昇圧して外部へ出力する。
【００３１】
ＰＦＣ補助電源回路２は、ＰＦＣ制御回路５の切り替え制御開始後、ＰＦＣ制御回路５およびＰＦＣ起動電源停止回路４に電圧を出力する。ＰＦＣ起動電源停止回路４は、ＰＦＣ補助電源回路２が電圧出力を開始してから所定時間経過後にＰＦＣ起動電源回路３の電圧出力を停止させる。
【００３２】
より詳細には、トランジスタＱ１の切り替え動作によってチョークコイルＬ１に磁気結合しているコイル（補助巻線）Ｌ２において電圧が誘起される。コイルＬ２において誘起された電圧は、ダイオードＤ３およびコンデンサＣ３で整流平滑され、ダイオードＤ５を介してＰＦＣ制御回路５に供給される。
【００３３】
また、ダイオードＤ３およびコンデンサＣ３で整流平滑された誘起電圧は、抵抗Ｒ３の抵抗値およびコンデンサＣ４の静電容量で決まる時定数だけ遅延し、抵抗Ｒ５を介してトランジスタＱ３のベースに供給される。そうすると、トランジスタＱ３がオン状態となるため、ツェナーダイオードＺＤ１の両端電圧が０Ｖになり、トランジスタＱ２がオフ状態となる。トランジスタＱ２がオフ状態となると、ＰＦＣ起動電源回路３からＰＦＣ制御回路５への電圧出力が停止する。すなわち、トランジスタＱ３は、ベース（制御電極）に入力される電圧に基づいてＰＦＣ起動電源回路２の電圧出力を停止させるか否かを切り替える。
【００３４】
ところで、特許文献１記載のスイッチング電源装置では、起動時の消費電力に対応するために製造コストおよび回路規模が増大するという問題点があった。しかしながら、本発明の第１の実施の形態に係るスイッチング電源装置では、ＰＦＣ補助電源回路２は、ＰＦＣ制御回路５の切り替え制御開始後、ＰＦＣ制御回路５に電圧を出力する。そして、ＰＦＣ起動電源停止回路４は、ＰＦＣ補助電源回路２が電圧出力を開始した後にＰＦＣ起動電源回路３の電圧出力を停止させる。したがって、ＰＦＣ制御回路５すなわちＰＦＣ回路１の起動時および起動後で電源回路を切り替えることができ、起動時の消費電力に対応するために製造コストおよび回路規模が増大することを防ぐことができる。
【００３５】
ここで、コイル（補助巻線）Ｌ２において誘起される電圧を受けてＰＦＣ起動電源停止回路４がすぐにＰＦＣ起動電源回路３の電圧出力を停止させる構成では、ＰＦＣ回路１および後段のＤＣ−ＤＣコンバータ部５２の動作が安定していないうちにＰＦＣ起動電源回路３の電圧出力が停止してスイッチング電源装置の起動に失敗する場合がある。しかしながら、本発明の第１の実施の形態に係るスイッチング電源装置では、ＰＦＣ起動電源停止回路４は、ＰＦＣ補助電源回路２が電圧出力を開始してから所定時間経過後にＰＦＣ起動電源回路３の電圧出力を停止させる。したがって、ＰＦＣ回路１および後段のＤＣ−ＤＣコンバータ部５２の出力電圧が安定するまでＰＦＣ起動電源回路３からＰＦＣ制御回路５に電圧を出力することができ、スイッチング電源装置を確実に起動させることができる。
【００３６】
また、ＰＦＣ起動電源回路３がツェナーダイオードＺＤ１を含む構成により、トランジスタＱ２のゲートにツェナー電圧が印加され、トランジスタＱ２のソースの電圧は、ツェナー電圧からトランジスタＱ２の閾値電圧すなわちトランジスタＱ２がオン状態となるゲート電圧を減算した一定の電圧となる。このような構成により、ＰＦＣ制御回路５に過大電圧が印加されて破壊されることを防ぐことができる。
【００３７】
次に、本発明の他の実施の形態について図面を用いて説明する。なお、図中同一または相当部分には同一符号を付してその説明は繰り返さない。
【００３８】
＜第２の実施の形態＞
本実施の形態は、第１の実施の形態に係るスイッチング電源装置と比較して、ＰＦＣ起動電源停止回路の構成を変更したスイッチング電源装置に関する。
【００３９】
図２は、本発明の第２の実施の形態に係るスイッチング電源装置の構成を示す回路図である。図２を参照して、このスイッチング電源装置は、第１の実施の形態に係るスイッチング電源装置と比較して、ＰＦＣ起動電源停止回路４が、ツェナーダイオードＺＤ２をさらに含む。
【００４０】
ダイオードＤ５のアノードと、ダイオードＤ３のカソードと、ツェナーダイオードＺＤ２のカソードと、コンデンサＣ３の正電極とが接続される。ツェナーダイオードＺＤ２のアノードと抵抗Ｒ３の一端とが接続される。
【００４１】
コンデンサＣ４の静電容量値が大きい場合には、コンデンサＣ４の放電に長時間を要する。この場合、スイッチング電源装置の起動および停止を急速に行なうと、コンデンサＣ４に電荷が残りやすく、ダイオードＤ３およびコンデンサＣ３で整流平滑された誘起電圧がトランジスタＱ３のベースに供給されるタイミングが遅れ、スイッチング電源装置の誤動作の原因になる。
【００４２】
しかしながら、本発明の第２の実施の形態に係るスイッチング電源装置では、ＰＦＣ起動電源停止回路４が、ツェナーダイオードＺＤ２を含む構成により、コイルＬ２で誘起された電圧からツェナーダイオードＺＤ２のツェナー電圧だけ小さい電圧が抵抗Ｒ３およびコンデンサＣ４に供給されるため、コンデンサＣ４の静電容量を小さくすることができ、スイッチング電源装置の誤動作を防ぐことができる。
【００４３】
その他の構成および動作は第１の実施の形態に係るスイッチング電源装置と同様である。したがって、本発明の第２の実施の形態に係るスイッチング電源装置では、第１の実施の形態に係るスイッチング電源装置と同様に、起動時の消費電力に対応するために製造コストおよび回路規模が増大することを防ぐことができる。
【００４４】
次に、本発明の他の実施の形態について図面を用いて説明する。なお、図中同一または相当部分には同一符号を付してその説明は繰り返さない。
【００４５】
＜第３の実施の形態＞
本実施の形態は、第１の実施の形態に係るスイッチング電源装置と比較して、ＰＦＣ起動電源回路の電圧出力を停止させる構成を変更したスイッチング電源装置に関する。
【００４６】
図３は、本発明の第３の実施の形態に係るスイッチング電源装置の構成を示す回路図である。図３を参照して、ＤＣ−ＤＣ補助電源回路１１は、コンデンサＣ５と、ダイオードＤ６とを含む。
【００４７】
ＤＣ−ＤＣ補助電源回路１１において、ダイオードＤ６は、アノードが巻線Ｌ１３の一端に接続され、カソードがコンデンサＣ５の正電極と、１次側制御回路１３の入力と、抵抗Ｒ３の一端とに接続される。コンデンサＣ５の負電極が巻線Ｌ１３の他端に接続される。
【００４８】
ＤＣ−ＤＣ補助電源回路１１は、ＰＦＣ制御回路５の切り替え制御開始後、ＰＦＣ起動電源停止回路４に電圧を出力する。ＰＦＣ起動電源停止回路４は、ＤＣ−ＤＣ補助電源回路１１が電圧出力を開始してから所定時間経過後にＰＦＣ起動電源回路３の電圧出力を停止させる。
【００４９】
より詳細には、トランジスタＱ１およびＱ４の切り替え動作によって巻線Ｌ１３において電圧が誘起される。巻線Ｌ１３において誘起された電圧は、抵抗Ｒ３の抵抗値およびコンデンサＣ４の静電容量で決まる時定数だけ遅延し、抵抗Ｒ５を介してトランジスタＱ３のベースに供給される。そうすると、トランジスタＱ３がオン状態となるため、ツェナーダイオードＺＤ１の両端電圧が０Ｖになり、トランジスタＱ２がオフ状態となる。トランジスタＱ２がオフ状態となると、ＰＦＣ起動電源回路３からＰＦＣ制御回路５への電圧出力が停止する。すなわち、トランジスタＱ３は、ベース（制御電極）に入力される電圧に基づいてＰＦＣ起動電源回路２の電圧出力を停止させるか否かを切り替える。
【００５０】
その他の構成および動作は第１の実施の形態に係るスイッチング電源装置と同様である。したがって、本発明の第３の実施の形態に係るスイッチング電源装置では、第１の実施の形態に係るスイッチング電源装置と同様に、起動時の消費電力に対応するために製造コストおよび回路規模が増大することを防ぐことができる。
【００５１】
次に、本発明の他の実施の形態について図面を用いて説明する。なお、図中同一または相当部分には同一符号を付してその説明は繰り返さない。
【００５２】
＜第４の実施の形態＞
本実施の形態は、第３の実施の形態に係るスイッチング電源装置と比較して、ＰＦＣ起動電源停止回路の構成を変更したスイッチング電源装置に関する。
【００５３】
図４は、本発明の第４の実施の形態に係るスイッチング電源装置の構成を示す回路図である。図４を参照して、このスイッチング電源装置は、第３の実施の形態に係るスイッチング電源装置と比較して、ＰＦＣ起動電源停止回路４が、ツェナーダイオードＺＤ２をさらに含む。
【００５４】
その他の構成および動作は第３の実施の形態に係るスイッチング電源装置と同様である。
【００５５】
したがって、本発明の第４の実施の形態に係るスイッチング電源装置では、第１の実施の形態に係るスイッチング電源装置と同様に、起動時の消費電力に対応するために製造コストおよび回路規模が増大することを防ぐことができる。
【００５６】
また、本発明の第４の実施の形態に係るスイッチング電源装置では、第２の実施の形態に係るスイッチング電源装置と同様に、コンデンサＣ４の静電容量を小さくすることができ、スイッチング電源装置の誤動作を防ぐことができる。
【００５７】
次に、本発明の他の実施の形態について図面を用いて説明する。なお、図中同一または相当部分には同一符号を付してその説明は繰り返さない。
【００５８】
次に、本発明の他の実施の形態について図面を用いて説明する。なお、図中同一または相当部分には同一符号を付してその説明は繰り返さない。
【００５９】
＜第５の実施の形態＞
本実施の形態は、第１の実施の形態に係るスイッチング電源装置と比較して、ＰＦＣ起動電源停止回路の構成を変更したスイッチング電源装置に関する。
【００６０】
図５は、本発明の第５の実施の形態に係るスイッチング電源装置の構成を示す回路図である。図５を参照して、このスイッチング電源装置は、第１の実施の形態に係るスイッチング電源装置と比較して、ＤＣ−ＤＣコンバータ部５２が、フォトカプラダイオード（発光素子）ＰＣ１−ＤＩと、抵抗Ｒ１０と、コンデンサＣ７とを含む。また、ＰＦＣ起動電源停止回路４が、フォトカプラトランジスタ（受光素子）ＰＣ１−ＴＲを含む。
【００６１】
フォトカプラダイオードＰＣ１−ＤＩのアノードと、コンデンサＣ７の一端と、抵抗Ｒ１０の一端とが接続される。抵抗Ｒ１０の他端と、出力端子ＴＯＵＴ１と、ダイオードＤ２のカソードと、電圧検出部１２の入力と、コンデンサＣ６の正電極とが接続される。フォトカプラダイオードＰＣ１−ＤＩのカソードと、コンデンサＣ７の他端と、出力端子ＴＯＵＴ２と、巻線Ｌ１２の他端とが接続される。フォトカプラトランジスタＰＣ１−ＴＲの一方導通電極と、トランジスタＱ２のベースと、抵抗Ｒ２の他端と、ツェナーダイオードＺＤ１のカソードとが接続される。フォトカプラトランジスタＰＣ１−ＴＲの他方導通電極と、ツェナーダイオードＺＤ１のアノードとが接続される。
【００６２】
トランジスタＱ１およびＱ４の切り替え動作によって巻線Ｌ１２に電圧が誘起される。巻線Ｌ１２に誘起される電圧が所定値以上になるとフォトカプラダイオードＰＣ１−ＤＩに電流が流れて発光する。そうすると、フォトカプラトランジスタＰＣ１−ＴＲがオン状態となるため、ツェナーダイオードＺＤ１の両端電圧が０Ｖになり、トランジスタＱ２がオフ状態となる。トランジスタＱ２がオフ状態となると、ＰＦＣ起動電源回路３からＰＦＣ制御回路５への電圧出力が停止する。すなわち、フォトカプラトランジスタＰＣ１−ＴＲは、フォトカプラダイオードＰＣ１−ＤＩが発光するか否かに応じてオン状態およびオフ状態を切り替えることにより、ＰＦＣ起動電源回路２の電圧出力を停止させるか否かを切り替える。また、コンデンサＣ７の静電容量値を調整することにより、時定数の調整すなわちフォトカプラダイオードＰＣ１−ＤＩが発光するタイミングを調整することができる。
【００６３】
その他の構成および動作は第１の実施の形態に係るスイッチング電源装置と同様である。したがって、本発明の第５の実施の形態に係るスイッチング電源装置では、第１の実施の形態に係るスイッチング電源装置と同様に、起動時の消費電力に対応するために製造コストおよび回路規模が増大することを防ぐことができる。
【００６４】
次に、本発明の他の実施の形態について図面を用いて説明する。なお、図中同一または相当部分には同一符号を付してその説明は繰り返さない。
【００６５】
＜第６の実施の形態＞
本実施の形態は、第２の実施の形態に係るスイッチング電源装置と比較して、ＰＦＣ補助電源回路の構成を変更したスイッチング電源装置に関する。
【００６６】
図６は、本発明の第６の実施の形態に係るスイッチング電源装置の構成を示す回路図である。図６を参照して、このスイッチング電源装置は、第２の実施の形態に係るスイッチング電源装置と比較して、ＰＦＣ補助電源回路２が、安定化回路１５をさらに含む。安定化回路１５は、トランジスタＱ５と、抵抗Ｒ８と、ツェナーダイオードＺＤ３とを含む。
【００６７】
ダイオードＤ３のカソードと、トランジスタＱ５のソースと、抵抗Ｒ８の一端と、コンデンサＣ３の正電極とが接続される。トランジスタＱ５のベースと、抵抗Ｒ８の他端と、ツェナーダイオードＺＤ３のカソードとが接続される。トランジスタＱ５のドレインと、ダイオードＤ５のアノードと、ツェナーダイオードＺＤ２のカソードとが接続される。ツェナーダイオードＺＤ３のアノードと、コンデンサＣ３の負電極と、コンデンサＣ４の他端とが接続される。
【００６８】
安定化回路１５は、補助巻線Ｌ２において誘起される電圧すなわちＰＦＣ制御回路５およびＰＦＣ起動電源停止回路４への供給電圧を安定化させる。このような構成により、スイッチング電源装置の動作の安定化を図ることができる。
【００６９】
その他の構成および動作は第２の実施の形態に係るスイッチング電源装置と同様である。したがって、本発明の第６の実施の形態に係るスイッチング電源装置では、第２の実施の形態に係るスイッチング電源装置と同様に、起動時の消費電力に対応するために製造コストおよび回路規模が増大することを防ぐことができる。また、コンデンサＣ４の静電容量を小さくすることができ、スイッチング電源装置の誤動作を防ぐことができる。
【００７０】
＜第７の実施の形態＞
本実施の形態は、第３の実施の形態に係るスイッチング電源装置と比較して、ＰＦＣ補助電源回路を補助電源回路で代用したスイッチング電源装置に関する。
【００７１】
図７は、本発明の第７の実施の形態に係るスイッチング電源装置の構成を示す回路図である。
【００７２】
図７を参照して、このスイッチング電源装置は、ＰＦＣ補助電源回路２を備えず、ＤＣ−ＤＣ補助電源回路１１がさらにダイオードＤ５を含む構成である。
【００７３】
ダイオードＤ５のアノードと、抵抗Ｒ３の一端と、ＤＣ−ＤＣ補助電源回路１１におけるダイオードＤ６のカソードと、コンデンサＣ５の一端とが接続される。
【００７４】
ＤＣ−ＤＣ補助電源回路１１は、ＰＦＣ制御回路５の切り替え制御開始後、ＰＦＣ制御回路５およびＰＦＣ起動電源停止回路４に電圧を出力する。ＰＦＣ起動電源停止回路４は、ＤＣ−ＤＣ補助電源回路１１が電圧出力を開始してから所定時間経過後にＰＦＣ起動電源回路３の電圧出力を停止させる。
【００７５】
より詳細には、トランジスタＱ１およびＱ４の切り替え動作によって巻線Ｌ１３において電圧が誘起される。巻線Ｌ１３において誘起された電圧は、ダイオードＤ５を介してＰＦＣ制御回路５に供給される。また、巻線Ｌ１３で誘起された電圧は、抵抗Ｒ３の抵抗値およびコンデンサＣ４の静電容量で決まる時定数だけ遅延し、抵抗Ｒ５を介してトランジスタＱ３のベースに供給される。
【００７６】
その他の構成および動作は第３の実施の形態に係るスイッチング電源装置と同様である。したがって、本発明の第７の実施の形態に係るスイッチング電源装置では、第３の実施の形態に係るスイッチング電源装置と同様に、起動時の消費電力に対応するために製造コストおよび回路規模が増大することを防ぐことができる。
【００７７】
次に、本発明の他の実施の形態について図面を用いて説明する。なお、図中同一または相当部分には同一符号を付してその説明は繰り返さない。
【００７８】
＜第８の実施の形態＞
本実施の形態は、第７の実施の形態に係るスイッチング電源装置と比較して、ＰＦＣ起動電源停止回路の構成を変更したスイッチング電源装置に関する。
【００７９】
図８は、本発明の第８の実施の形態に係るスイッチング電源装置の構成を示す回路図である。図８を参照して、このスイッチング電源装置は、第５の実施の形態に係るスイッチング電源装置と比較して、ＰＦＣ起動電源停止回路４が、ツェナーダイオードＺＤ２をさらに含む。
【００８０】
その他の構成および動作は第７の実施の形態に係るスイッチング電源装置と同様である。
【００８１】
したがって、本発明の第８の実施の形態に係るスイッチング電源装置では、第１の実施の形態に係るスイッチング電源装置と同様に、起動時の消費電力に対応するために製造コストおよび回路規模が増大することを防ぐことができる。
【００８２】
また、本発明の第８の実施の形態に係るスイッチング電源装置では、第２の実施の形態に係るスイッチング電源装置と同様に、コンデンサＣ４の静電容量を小さくすることができ、スイッチング電源装置の誤動作を防ぐことができる。
【００８３】
次に、本発明の他の実施の形態について図面を用いて説明する。なお、図中同一または相当部分には同一符号を付してその説明は繰り返さない。
【００８４】
＜第９の実施の形態＞
本実施の形態は、第８の実施の形態に係るスイッチング電源装置と比較して、補助電源回路の構成を変更したスイッチング電源装置に関する。
【００８５】
図９は、本発明の第９の実施の形態に係るスイッチング電源装置の構成を示す回路図である。図９を参照して、このスイッチング電源装置は、第６の実施の形態に係るスイッチング電源装置と比較して、ＤＣ−ＤＣ補助電源回路１１が、安定化回路１６をさらに含む。安定化回路１６は、トランジスタＱ６と、抵抗Ｒ９と、ツェナーダイオードＺＤ４とを含む。
【００８６】
ＤＣ−ＤＣ補助電源回路１１において、ダイオードＤ６は、アノードが巻線Ｌ１３の一端に接続され、カソードがコンデンサＣ５の正電極と、抵抗Ｒ９の一端と、トランジスタＱ６のドレインとに接続される。トランジスタＱ５のベースと、抵抗Ｒ９の他端と、ツェナーダイオードＺＤ４のカソードとが接続される。トランジスタＱ５のソースと、１次側制御回路１３の入力と、ツェナーダイオードＺＤ２のカソードと、ダイオードＤ５のアノードとが接続される。ツェナーダイオードＺＤ４のアノードと、コンデンサＣ５の負電極と、巻線Ｌ１３の他端とが接続される。
【００８７】
安定化回路１６は、補助巻線Ｌ１３において誘起される電圧すなわちＰＦＣ制御回路５およびＰＦＣ起動電源停止回路４への供給電圧を安定化させる。このような構成により、スイッチング電源装置の動作の安定化を図ることができる。
【００８８】
その他の構成および動作は第８の実施の形態に係るスイッチング電源装置と同様である。したがって、本発明の第９の実施の形態に係るスイッチング電源装置では、第８の実施の形態に係るスイッチング電源装置と同様に、起動時の消費電力に対応するために製造コストおよび回路規模が増大することを防ぐことができる。また、コンデンサＣ４の静電容量を小さくすることができ、スイッチング電源装置の誤動作を防ぐことができる。
【００８９】
次に、本発明の他の実施の形態について図面を用いて説明する。なお、図中同一または相当部分には同一符号を付してその説明は繰り返さない。
【００９０】
＜第１０の実施の形態＞
本実施の形態は、第７の実施の形態に係るスイッチング電源装置と比較して、ＰＦＣ補助電源回路を補助電源回路で代用したスイッチング電源装置に関する。
【００９１】
図１０は、本発明の第１０の実施の形態に係るスイッチング電源装置の構成を示す回路図である。図１０を参照して、このスイッチング電源装置は、第７の実施の形態に係るスイッチング電源装置と比較して、ＤＣ−ＤＣコンバータ部５２が、フォトカプラダイオード（発光素子）ＰＣ１−ＤＩと、抵抗Ｒ１０と、コンデンサＣ７とを含む。また、ＰＦＣ起動電源停止回路４が、フォトカプラトランジスタ（受光素子）ＰＣ１−ＴＲを含む。
【００９２】
フォトカプラダイオードＰＣ１−ＤＩのアノードと、コンデンサＣ７の一端と、抵抗Ｒ１０の一端とが接続される。抵抗Ｒ１０の他端と、出力端子ＴＯＵＴ１と、ダイオードＤ２のカソードと、電圧検出部１２の入力と、コンデンサＣ６の正電極とが接続される。フォトカプラダイオードＰＣ１−ＤＩのカソードと、コンデンサＣ７の他端と、出力端子ＴＯＵＴ２と、巻線Ｌ１２の他端とが接続される。フォトカプラトランジスタＰＣ１−ＴＲの一方導通電極と、トランジスタＱ２のベースと、抵抗Ｒ２の他端と、ツェナーダイオードＺＤ１のカソードとが接続される。フォトカプラトランジスタＰＣ１−ＴＲの他方導通電極と、ツェナーダイオードＺＤ１のアノードとが接続される。
【００９３】
トランジスタＱ１およびＱ４の切り替え動作によって巻線Ｌ１２に電圧が誘起される。巻線Ｌ１２に誘起される電圧が所定値以上になるとフォトカプラダイオードＰＣ１−ＤＩに電流が流れて発光する。そうすると、フォトカプラトランジスタＰＣ１−ＴＲがオン状態となるため、ツェナーダイオードＺＤ１の両端電圧が０Ｖになり、トランジスタＱ２がオフ状態となる。トランジスタＱ２がオフ状態となると、ＰＦＣ起動電源回路３からＰＦＣ制御回路５への電圧出力が停止する。すなわち、フォトカプラトランジスタＰＣ１−ＴＲは、フォトカプラダイオードＰＣ１−ＤＩが発光するか否かに応じてオン状態およびオフ状態を切り替えることにより、ＰＦＣ起動電源回路２の電圧出力を停止させるか否かを切り替える。また、コンデンサＣ７の静電容量値を調整することにより、時定数の調整すなわちフォトカプラダイオードＰＣ１−ＤＩが発光するタイミングを調整することができる。
【００９４】
その他の構成および動作は第７の実施の形態に係るスイッチング電源装置と同様である。したがって、本発明の第１０の実施の形態に係るスイッチング電源装置では、第７の実施の形態に係るスイッチング電源装置と同様に、起動時の消費電力に対応するために製造コストおよび回路規模が増大することを防ぐことができる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９６】
【図１】本発明の第１の実施の形態に係るスイッチング電源装置の構成を示す回路図である。
【図２】本発明の第２の実施の形態に係るスイッチング電源装置の構成を示す回路図である。
【図３】本発明の第３の実施の形態に係るスイッチング電源装置の構成を示す回路図である。
【図４】本発明の第４の実施の形態に係るスイッチング電源装置の構成を示す回路図である。
【図５】本発明の第５の実施の形態に係るスイッチング電源装置の構成を示す回路図である。
【図６】本発明の第６の実施の形態に係るスイッチング電源装置の構成を示す回路図である。
【図７】本発明の第７の実施の形態に係るスイッチング電源装置の構成を示す回路図である。
【図８】本発明の第８の実施の形態に係るスイッチング電源装置の構成を示す回路図である。
【図９】本発明の第９の実施の形態に係るスイッチング電源装置の構成を示す回路図である。
【図１０】本発明の第１０の実施の形態に係るスイッチング電源装置の構成を示す回路図である。
【符号の説明】
【００９７】
１  ＰＦＣ回路、２  ＰＦＣ補助電源回路、３  ＰＦＣ起動電源回路、４  ＰＦＣ起動電源停止回路、５  ＰＦＣ制御回路、６  検出回路、１１  ＤＣ−ＤＣ補助電源回路、１２  電圧検出回路、１３  １次側制御回路、１４  １次−２次伝達回路、１５，１６  安定化回路、５１  ＰＦＣ部、５２  ＤＣ−ＤＣコンバータ部（ＤＣ−ＤＣコンバータ回路）、ＴＩＮ１，ＴＩＮ２  入力端子、ＴＯＵＴ１，ＴＯＵＴ２  出力端子、ＢＤ１  ブリッジダイオード、Ｃ１〜Ｃ７  コンデンサ、Ｄ１〜Ｄ６  ダイオード、Ｔ１  トランス、Ｑ１〜Ｑ６  トランジスタ、Ｌ１  チョークコイル、Ｌ２  コイル（補助巻線）、ＺＤ１〜ＺＤ４  ツェナーダイオード、Ｒ１〜Ｒ１０  抵抗、ＰＣ１−ＤＩ  フォトカプラダイオード（発光素子）、ＰＣ１−ＴＲ  フォトカプラトランジスタ（受光素子）。
【図１】
2007329996.tif 000003
【図２】
2007329996.tif 000004
【図３】
2007329996.tif 000005
【図４】
2007329996.tif 000006
【図５】
2007329996.tif 000007
【図６】
2007329996.tif 000008
【図７】
2007329996.tif 000009
【図８】
2007329996.tif 000010
【図９】
2007329996.tif 000011
【図１０】
2007329996.tif 000012